(57)【要約】      （修正有）【課題】精確な複製鍵を作製するために用いられると共に、親鍵の摩損を防ぐことができる合鍵複製機の歯部位置決め部材を提供する。【解決手段】固定ベース及び調整ブロック有し、その内、該固定ベースは、複数の目盛が間隔をおいて設けられ、該調整ブロックは、該固定ベースの側面に移動可能に設置され、該固定ベースにおける、対応する目盛に合わせるように、調整するための指示ラインが設けられる。【選択図】図１
0003178861.tif 000002
【実用新案登録請求の範囲】
【請求項１】
複数の目盛が間隔をおいて設けられる固定ベースと、
前記固定ベースの側面に移動可能に設置され、該固定ベースにおける、対応する目盛に合わせるように調整するための指示ラインが設けられる調整ブロックと、を有することを特徴とする合鍵複製機の歯部位置決め部材。
【請求項２】
該固定ベースは、直方体のガイドブロックを有し、該ガイドブロックの上面における上部外側に、該複数の目盛が横方向に間隔をおいて設けられ、
前記調整ブロックは、直方体を呈し、該ガイドブロックの外側面において移動可能に設置され、その上面における上部内側に指示ラインが設けられることを特徴とする請求項１に記載の合鍵複製機の歯部位置決め部材。
【請求項３】
前記ガイドブロックの上面における、各目盛と対応する部位にそれぞれ異なる符号が付されていることを特徴とする請求項２に記載の合鍵複製機の歯部位置決め部材。
【請求項４】
前記ガイドブロックの外側面に横方向に間隔をおいて、前記目盛に対応する複数の位置決め溝が凹設され、
前記調整ブロックに、内側面から外側面まで貫通し、且つ該指示ラインと対応する、中空状のボルトを受け入れるネジ孔が設けられ、該ボルトの一端に開口端が設けられると共に、他端に封止端が設けられ、その内部に、弾性部材と球体とが順に収容され、該球体は、該弾性部材の付勢力で押圧されてボルトの開口端から突出することにより、該ガイドブロックにおける、対応する位置決め溝内に係合されることを特徴とする請求項２に記載の合鍵複製機の歯部位置決め部材。
【請求項５】
前記ガイドブロックの外側面に横方向に間隔をおいて、前記目盛に対応する複数の位置決め溝が凹設され、
前記調整ブロックに、内側面から外側面まで貫通し、且つ該指示ラインと対応する、中空状のボルトを受け入れるネジ孔が設けられ、該ボルトの一端に開口端が設けられると共に、他端に封止端が設けられ、その内部に、弾性部材と球体とが順に収容され、該球体は、該弾性部材の付勢力で押圧されてボルトの開口端から突出することにより、該ガイドブロックにおける、対応する位置決め溝内に係合されることを特徴とする請求項３に記載の合鍵複製機の歯部位置決め部材。
【請求項６】
前記ボルトの封止端は、調整ブロックの外側面から突出し、該ボルトの封止端にナットが螺合され、該ナットが調整ブロックに押圧されることを特徴とする請求項４に記載の合鍵複製機の歯部位置決め部材。
【請求項７】
前記ボルトの封止端は、調整ブロックの外側面から突出し、ナットによってボルトの封止端に螺合されると共に、該ナットが調整ブロックに押圧されることを特徴とする請求項５に記載の合鍵複製機の歯部位置決め部材。
【請求項８】
前記固定ベースには、９つの目盛が設けられ、それら目盛にそれぞれ順に、対応する符号である１、２、３、４、５、６、７、８及び９が付されていることを特徴とする請求項１乃至７のいずれか１項に記載の合鍵複製機の歯部位置決め部材。
【考案の詳細な説明】
【技術分野】
【０００１】
本考案は、合鍵複製機に用いるものであり、特に精確に鍵を複製し、且つ親鍵の摩損を防ぐための鍵複製機の歯部位置決め部材に関するものである。
【背景技術】
【０００２】
合鍵複製機は、鍵を複製するために用いられるものであり、主に、ガイド部材と、カッターと、２つの挟持具とが機台に設けられる構成であり、該２つの挟持具は、該機台に対して同期移動が可能である。また、鍵を複製する時は、一方の挟持具で複製しようとする親鍵を挟持すると共に、他方の挟持具でブランクキーを挟持し、ガイドの尖端を該親鍵の歯部に押し当てながら２つの挟持具を操作して移動させることにより、ガイドの尖端を親鍵の歯部に沿わせ、更に、カッターでブランクキーにおける、親鍵の歯部と対応する部位を切削することで、鍵を複製する。
【考案の概要】
【考案が解決しようとする課題】
【０００３】
しかしながら、上述した合鍵複製の方法では、以下のような欠点が存在する。即ち、複製鍵と親鍵との誤差はわずかであるが、この誤差は、合鍵複製機自身による機器的誤差、又は合鍵複製機の操作時の人的誤差であり、さらに、複製鍵を親鍵として用いて鍵を複製すると、この誤差が更に増大し、このまま繰り返し複製を行った場合、複製鍵と親鍵との間に極めて大きな誤差が生じてしまい、錠をスームズに開錠することができなくなる。また、鍵を複製する場合、ガイドの尖端が親鍵の歯部と当接することから、親鍵を摩損するという問題があり、親鍵の開錠に悪い影響を与える。
【０００４】
本考案は、上述した従来技術の問題点に鑑みてなされたものであって、本考案の目的は、合鍵複製機の歯部位置決め部材を提供することにあり、固定ベースと、該固定ベースに対して移動可能な調整ブロックとを設け、その調整ブロックを操作員の操作により親鍵の各歯部の位置に基づいて移動させると共に、ブランクキーも同期に移動させるので、精確に鍵を複製することができる。
【課題を解決するための手段】
【０００５】
上述した本考案の目的を達成するために、本考案で設計された鍵複製機の歯部位置ゲージは、複数の目盛が間隔をおいて設けられる固定ベースと、
前記固定ベースの側面に移動可能に設置され、該固定ベースにおける、対応する目盛に合わせるように調整するための指示ラインが設けられる調整ブロックと、を有するものである。
【０００６】
該固定ベースは、直方体のガイドブロックを有し、該ガイドブロックの上面における上部外側に、該複数のガ目盛が横方向に間隔をおいて設けられ、
前記調整ブロックは、直方体を呈し、該ガイドブロックの外側面において移動可能に設置され、その上面における上部内側に指示ラインが設けられることが好ましい。
【０００７】
前記ガイドブロックの上面における、各目盛と対応する部位にそれぞれ異なる符号が付されていることが好ましい。
【０００８】
前記ガイドブロックの外側面に横方向に間隔をおいて、前記目盛に対応する複数の位置決め溝が凹設され、
前記調整ブロックに、内側面から外側面まで貫通し、且つ該指示ラインと対応する、中空状のボルトを受け入れるネジ孔が設けられ、該ボルトの一端に開口端が設けられると共に、他端に封止端が設けられ、その内部に、弾性部材と球体とが順に収容され、該球体は、該弾性部材の付勢力で押圧されてボルトの開口端から突出することにより、該ガイドブロックにおける、対応する位置決め溝内に係合されることが好ましい。
【０００９】
前記ボルトの封止端は、調整ブロックの外側面から突出し、該ボルトの封止端にナットが螺合され、該ナットが調整ブロックに押圧されることが好ましい。
【００１０】
前記固定ベースには、９つの目盛が設けられ、それら目盛にそれぞれ順に、対応する符号である１、２、３、４、５、６、７、８及び９が付されていることが好ましい。
【考案の効果】
【００１１】
本考案は上記の構成を有することから、次のようなメリット及び機能上の改善効果が得られる。即ち、親鍵を複製する場合、操作員は、親鍵の各歯部の位置に基づいて順番通りに調整ブロックを移動させて、固定ベースのうちの１つの目盛に指示ラインを合わせ、次に、調整ブロックを移動させながら、ブランクキーにおける切削部位を動かして合鍵複製機に設けられるカッターを合わせ、切削することにより、精確に合鍵を複製することができる。
【図面の簡単な説明】
【００１２】
【図１】本考案に係る合鍵複製機の歯部位置決め部材の分解斜視図である。
【図２】本考案に係る合鍵複製機の歯部位置決め部材の平面図である。
【図３】本考案に係る合鍵複製機の歯部位置決め部材の平面断面図である。
【図４】本考案に係る歯部位置決め部材を合鍵複製機の機台に装着した状態を示す斜視図である。
【図５】本考案に係る歯部位置決め部材を鍵複製機の機台に装着した状態を示す平面図である。
【図６】本考案に係る歯部位置決め部材を鍵複製機の機台に装着した状態を示す側面図である。
【考案を実施するための形態】
【００１３】
図１乃至図３に示すように、本考案による合鍵複製機の歯部位置決め部材は、固定ベース１０と、調整ブロック２０とを有する。
【００１４】
前記固定ベース１０は、直方体のガイドブロック１１と、位置決めブロック１２とを備え、該ガイドブロック１１は、その上面における上面外端に複数の目盛１１１が横方向に間隔をおいて設けられ、該目盛１１１の間隔は、既存の鍵の歯部の間隔と等しい。
【００１５】
前記ガイドブロック１１の上面における、各目盛１１１と対応する部位にそれぞれ、異なる符号１１２が付され、それら符号１１２により、ガイドライン１１１と対応する鍵の歯部の位置を表示する。また、ガイドブロック１１の外側面に横方向に間隔をおいて、該目盛１１１に対応する複数の位置決め溝１１３が凹設されると共に、ガイドブロック１１の内側面に、該位置決めブロック１２が固設されている。尚、図面に示した具体的な実施例においては、該ガイドブロック１１に９つの目盛１１１及び９つの位置決め溝１１３が設けられ、それらの目盛１１１と対応する符号１１２はそれぞれ順に、１、２、３、４、５、６、７、８及び９との数字が付されている。
【００１６】
前記調整ブロック２０は、直方体を呈し、その上面における上面内端に指示ライン２１が設けられると共に、内側面から外側面まで貫通し、且つ該指示ライン２１と対応する、中空状のボルト２３を受け入れるネジ孔２２が設けられ、また、該ボルト２３の一端に開口端が設けられると共に、他端に封止端が設けられ、その内部に、弾性部材（図示せず）と、開口端の口径より大きい外径を有する球体２４とが順に収容され、該球体２４は、該弾性部材の付勢力で押圧されてボルト２３の開口端が調整ブロック２０の内側面から突出する。一方、ボルト２３の封止端は、調整ブロック２０の外側面から突出し、その突出部にナット２５が螺合されてボルト２３を調整ブロック２０の内側面に強く押し付けることにより、ボルト２３を位置決めする。
【００１７】
更に、前記調整ブロック２０は、ガイドブロック１１の外側面において移動可能に設置されることから、ガイドブロック１１における、対応する目盛１１１に指示ライン２１を合わせることができ、該指示ライン２１を、ガイドブロック１１における、対応する目盛１１１に合わせると、前記球体２４が、ガイドブロック１１の対応する位置決め溝１１３内に係合され、調整ブロック２０が位置決められる。
【００１８】
図４に示すように、前記固定ベース１０は、位置決めブロック１２によって合鍵複製機の機台３０に固設され、また、前記調整ブロック２０は、合鍵複製機の機台３０上に設置される移動モジュールであり、固定ベース１０に対して移動可能である。更に、合鍵複製機の機台３０上には、調整ブロック２０と同期移動可能に設置される挟持具３１と、カッター３２と、深さ制御装置３３が設けられ、それらは、歯部の切削深さを制御するために用いられる。尚、前記深さ制御装置３３は、本考案の出願人が出願した台湾実用新案第１０１２０１６０６号「合鍵複製機の深さ制御装置」の内容と同様であり、本考案の技術特徴ではないため、詳細な説明は省略する。
【００１９】
図５及び図６に示すように、親鍵を複製する時は、挟持具３１を用いてブランクキー４０を挟持し、該親鍵の各歯部の位置に基づいて、調整ブロック２０を固定ベース１０に対して（図５の矢印で示す方向に）移動させ、挟持具３１を同期移動させることにより、ブランクキー４０の切削部位をカッター３２に合わせ、更に、親鍵の歯部の深さに基づいて深さ制御装置３３を調整すると共に、挟持具３１をカッター３２に向かって（図６の矢印で示す方向に）移動させ、カッター３２によりブランクキー４０を切削して歯部を形成する。この構成によれば、親鍵の各歯部の位置に基づいて、調整ブロック２０を順に移動させ、深さ制御装置３３の調整と、挟持具３１の移動とを行なうことで、容易に且つ精確に鍵を複製することができる。
【００２０】
また、前記固定ベース１０のガイドブロック１１に付されている符号１１２は、どの位置の歯部を切削しているのか示すことができ、例えば、複製しようとする親鍵の、ある歯部の位置を１とした場合、ガイドブロック１１における数字１に対応する目盛１１１に調整ブロック２０の指示ライン２１を合わせることで、カッター３２によりブランクキー４０における１と対応する歯部を切削することができる。また、前記調整ブロック２０を移動させる時、調整ブロック２０の球体２４は、対応する位置決め溝１１３から離脱するが、調整ブロック２０が再び位置決めされると、球体２４は、他の対応する位置決め溝１１３内に係合する。尚。本考案によれば、位置決め溝１１３内が係合する時、位置決めする音を発することによって、調整ブロック２０が位置決めされたことを操作員に知らせる。
【産業上の利用可能性】
【００２１】
本考案は上記の構成を有することから、合鍵複製機の歯部位置決め部材によって鍵を複製する時、親鍵は、ガイドにより押し付けられる必要がなくなるため、親鍵の摩損を避けることができる。また、親鍵の各歯部の位置に基づいて、調整ブロックを順に移動させれば、ブランクキーにおいて親鍵の歯部と同様に順に切削することができ、且つ、多数の鍵を複製したとしても、毎回精確に複製鍵を作成することができる。
【符号の説明】
【００２２】
１０    固定ベース
１１    ガイドブロック
１１１  目盛
１１２  符号
１１３  位置決め溝
１２    位置決めブロック
２０    調整ブロック
２１    指示ライン
２２    ネジ孔
２３    ボルト
２４    球体
２５    ナット
３０    機台
３１    挟持具
３２    カッター
３３    深さ制御装置
４０    ブランクキー
【図１】
0003178861.tif 000003
【図２】
0003178861.tif 000004
【図３】
0003178861.tif 000005
【図４】
0003178861.tif 000006
【図５】
0003178861.tif 000007
【図６】
0003178861.tif 000008